【手続補正書】
【提出日】令和2年7月9日(2020.7.9)
【手続補正１】
【補正対象書類名】明細書
【補正対象項目名】０００９
【補正方法】変更
【補正の内容】
【０００９】
【図１】図１は、本発明のパンツ型使い捨ておむつの一実施形態を示す斜視図である。
【図２】図２は、図１に示すパンツ型使い捨ておむつの展開且つ伸長状態における肌対向面側を模式的に示す展開平面図である。
【図３】図３は、図１に示すパンツ型使い捨ておむつの廃棄形態を示す斜視図である。
【図４】図４は、図１に示すパンツ型使い捨ておむつに設けられた廃棄用テープの構造を示す断面図である。
【図５】図５（ａ）及び（ｂ）は、図１に示すパンツ型使い捨ておむつの廃棄用テープを伸長させる様子を示す斜視図である。
【図６】図６は、本発明に係る廃棄用テープの配置例を示す部分平面図である。
【手続補正２】
【補正対象書類名】明細書
【補正対象項目名】００２９
【補正方法】変更
【補正の内容】
【００２９】
前記引張強度は、廃棄用テープ１０の幅に依存せずに決定される値である。中間部及び止着部の各部位が伸長を開始する引張強度Ｐｂ，Ｐｃは、以下の方法により測定される。
〔伸長を開始する引張強度の測定方法〕
三つ折り状態の廃棄用テープについて、中間部を固定部から剥離し、三つ折り状態を解除した展開状態にする。次いで、廃棄用テープの長手方向を引張方向に一致させ、チャック間距離を１０ｍｍとして、中間部等の各部位を引張試験機（例えば株式会社  島津製作所社製、機種「AUTOGRAPH  AG-X」）のチャックに取り付ける。前記各部位は、隣接する他の部位との接合箇所を避けて、前記チャックに取り付ける。例えば、中間部を取り付ける場合、止着部との接合箇所及び固定部との接合箇所を避け、これら両接合箇所間でチャックに取り付ける。次いで、３００ｍｍ／ｍｉｎの速度で引っ張り、引張距離に伴なって変化する引張強度を測定する。前記各部位の伸長を開始する引張強度（Ｎ）は、測定された第一極大点の強度とする。第一極大点は、測定される引張強度（Ｎ）の曲線において、最初に現れる極大点である。第一極大点が明確に判らない場合、また、観察されない場合は伸度３０％から７０％間の伸長時の最大強度を第一極大点の強度とみなす。また、引張距離に伴なって変化する引張強度の最大値を破断強度とし、該破断強度を示した時点を前記各部位の「破断時」とし、破断時の伸度を「伸度１００％」とする。
【手続補正３】
【補正対象書類名】明細書
【補正対象項目名】００３５
【補正方法】変更
【補正の内容】
【００３５】
廃棄用テープを引っ張る際に、おむつ１外面からの固定部１２の剥離を抑制する観点から、止着部１８が伸長を開始する引張強度Ｐｃは、おむつ１と固定部１２との間の剥離強度Ｐｇより低いことが好ましい。上記の効果をより確実に奏させる観点から、止着部１８が伸長を開始する引張強度Ｐｃに対するおむつ１と固定部１２との間の剥離強度Ｐｇの比率（Ｐｇ／Ｐｃ）は、好ましくは３以上、より好ましくは４以上であり、また好ましくは８以下、より好ましくは７以下であり、また好ましくは３以上８以下、より好ましくは４以上７以下である。
【手続補正４】
【補正対象書類名】明細書
【補正対象項目名】００４３
【補正方法】変更
【補正の内容】
【００４３】
廃棄用テープを引っ張る際に、おむつの外面を形成するシートが破断することを抑制する観点から、止着部１８が伸長を開始する引張強度Ｐｃは、前記外面を形成するシートの破断強度Ｐｈより低いことが好ましい。上記の効果をより確実に奏させる観点から、止着部１８が伸長を開始する引張強度Ｐｃに対するおむつ１の外面を形成するシートの破断強度Ｐｈの比率（Ｐｈ／Ｐｃ）は、好ましくは１．２以上、より好ましくは１．５以上であり、また好ましくは３．０以下、より好ましくは２．５以下であり、また好ましくは１．２以上３．０以下、より好ましくは１．５以上２．５以下である。
【手続補正５】
【補正対象書類名】明細書
【補正対象項目名】００４８
【補正方法】変更
【補正の内容】
【００４８】
中間部用粘着部１７及び止着部用粘着部２０はそれぞれ、中間部用シート片１６の第２面１６ｂ及び止着用シート片１９の第２面１９ｂの全面に形成されていてもよい。また、これら粘着部１７，２０はそれぞれ間欠的に形成されていてもよい。この場合、上述した粘着剤を間欠的に塗布することにより、これら粘着部１７，２０を間欠的に形成することができる。
【手続補正６】
【補正対象書類名】明細書
【補正対象項目名】００５４
【補正方法】変更
【補正の内容】
【００５４】
＜１１＞
前記止着部の破断強度Ｐｆは、２０Ｎ以上、好ましくは２５Ｎ以上であり、また５０Ｎ以下、好ましくは４５Ｎ以下である、前記＜１＞〜＜１０＞の何れか１項に記載のパンツ型使い捨ておむつ。
＜１２＞
前記止着部が伸長を開始する引張強度は、前記使い捨ておむつと前記固定部との間の剥離強度より低い、前記＜１＞〜＜１１＞の何れか１項に記載のパンツ型使い捨ておむつ。＜１３＞
前記止着部が伸長を開始する引張強度Ｐｃに対する前記使い捨ておむつと前記固定部との間の剥離強度Ｐｇの比率（Ｐｇ／Ｐｃ）は、好ましくは３以上、より好ましくは４以上であり、また好ましくは８以下、より好ましくは７以下である、前記＜１＞〜＜１２＞の何れか１項に記載のパンツ型使い捨ておむつ。
＜１４＞
前記固定部は、少なくともその一部が、前記使い捨ておむつの周縁域に位置する低剛性領域よりも内側に位置する高剛性領域に配されている、前記＜１＞〜＜１３＞の何れか１項に記載のパンツ型使い捨ておむつ。
＜１５＞
前記使い捨ておむつは、吸収性コアを備えており、
前記高剛性領域が、前記使い捨ておむつの厚み方向に前記吸収性コアが存在する領域である、前記＜１４＞の何れか１項に記載のパンツ型使い捨ておむつ。
＜１６＞
前記固定部はその全体が前記高剛性領域に配されている、前記＜１４＞又は＜１５＞に記載のパンツ型使い捨ておむつ。
＜１７＞
前記止着部が伸長を開始する引張強度は、前記中間部が伸長前の長さの３倍の長さに伸長した３倍伸長時の引張強度より高い、前記＜１＞〜＜１６＞の何れか１項に記載のパンツ型使い捨ておむつ。
＜１８＞
前記中間部の３倍伸長時の引張強度Ｐ３ｂに対する前記止着部が伸長を開始する引張強度Ｐｃの比率（Ｐｃ／Ｐ３ｂ）は、１．５以上、好ましくは２．０以上であり、また３．５以下、好ましくは３．０以下である、前記＜１＞〜＜１７＞の何れか１項に記載のパンツ型使い捨ておむつ。
＜１９＞
前記腹側部から前記股下部を介して前記背側部に延びる方向を縦方向、及び該縦方向に直交する方向を横方向としたときに、前記使い捨ておむつは、前記縦方向に伸縮する伸縮部を有しており、
前記廃棄用テープは、前記背側部に設けられており、且つ前記固定部の前記股下部側の端部が、前記縦方向において、前記伸縮部より前記ウエスト開口部の開口端側に位置している、前記＜１＞〜＜１８＞の何れか１項に記載のパンツ型使い捨ておむつ。
＜２０＞
肌対向面側に表面シートと、非肌対向面側に裏面シートとを有し、これら両シート間に吸収体を有する吸収性本体を備え、前記縦方向に沿う該吸収性本体の両側部それぞれに、該縦方向Ｘに沿って延びる防漏カフを備えており、
前記防漏カフは、カフ形成用シートと、前記縦方向に伸長状態で固定された１本又は複数本のカフ弾性部材とを含んで構成されており、
前記固定部の前記股下部側の端部は、前記背側部において、前記カフ弾性部材の前記背側部側の端部及び前記レッグ開口部に沿って配された弾性部材の前記背側部側の端部よりも、前記ウエスト開口部の開口端側に配されている、前記＜１９＞に記載のパンツ型使い捨ておむつ。
【手続補正７】
【補正対象書類名】明細書
【補正対象項目名】００５５
【補正方法】変更
【補正の内容】
【００５５】
＜２１＞
前記固定部の前記股下部側の端部と前記背側部の前記ウエスト開口端との間の長さをＬ１０とし、前記カフ弾性部材と該ウエスト開口端との間の長さをＬ１２としたとき、Ｌ１０に対するＬ１２の比率（Ｌ１２／Ｌ１０）は、１．０５以上、好ましくは１．１以上であり、また２．０以下、好ましくは１．７５以下である、前記＜２０＞に記載のパンツ型使い捨ておむつ。
＜２２＞
前記レッグ開口部に配された弾性部材と該ウエスト開口端との間の長さをＬ１４としたとき、Ｌ１０に対するＬ１４の比率（Ｌ１４／Ｌ１０）は、１．１以上、好ましくは１．２以上であり、また２．５以下、好ましくは２．２以下である、前記＜２０＞又は＜２１＞の何れか１項に記載のパンツ型使い捨ておむつ。
＜２３＞
前記止着部が伸長を開始する引張強度は、前記外面を形成するシートの破断強度より低い、前記＜１＞〜＜２２＞の何れか１項に記載のパンツ型使い捨ておむつ。
＜２４＞
前記止着部が伸長を開始する引張強度Ｐｃに対する前記使い捨ておむつの外面を形成するシートの破断強度Ｐｈの比率（Ｐｈ／Ｐｃ）は、１．２以上、好ましくは１．５以上であり、また３．０以下、好ましくは２．５以下である、前記＜１＞〜＜２３＞の何れか１項に記載のパンツ型使い捨ておむつ。